(57)【要約】【課題】無監視時間を短縮化して経済性及び信頼性の向上を図った中央監視システム及びその更新プログラムを提供する。【解決手段】ゲートウェイ装置３には、既設のＬＣＳ４と新設のＬＣＳ４１とを切り替える切り替え部８が設けられる。新設の上位装置群に含まれるＨＩＳ／ＧＣＳ６１には、切り替え部８によって既設ＬＣＳ４から新設ＬＣＳ４１へ切り替えた後、系統Ａ、Ｂ、Ｃごとに伝送確認試験を実施する試験実施部９が設けられている。試験実施部９が全ての系統にて伝送確認試験を完了した場合、切り替え部８は、全てのゲートウェイ装置３に新設のＬＣＳ４１を接続するようにＬＣＳ４とＬＣＳ４１との切り替えを行う。【選択図】図１
2020067882.tif 000002
【特許請求の範囲】
【請求項１】
設備機器を監視する下位装置と、
前記下位装置を監視する上位装置と、
前記下位装置及び前記上位装置を接続するゲートウェイ装置と、を有する中央監視システムであって、
前記ゲートウェイ装置に設けられ、前記ゲートウェイ装置に接続済みである既設の上位装置と、前記ゲートウェイ装置に未接続である新設の上位装置とを切り替える切り替え部と、
前記切り替え部が既設の上位装置から新設の上位装置へ切り替えた後、伝送確認試験を実施する試験実施部と、
を備える中央監視システム。
【請求項２】
前記切り替え部は、ハード回路にて物理的に前記上位装置の切り替えを行う請求項１に記載の中央監視システム。
【請求項３】
前記ゲートウェイ装置が複数系統あるとき、前記試験実施部は系統ごとに伝送確認試験を実施し、
前記切り替え部は、前記試験実施部による系統ごとの伝送確認試験の実施に伴い、前記新設の上位装置が順次、前記ゲートウェイ装置と接続するように上位装置の切り替えを行う請求項１又は２に記載の中央監視システム。
【請求項４】
前記試験実施部が全系統の伝送確認試験を完了した後、前記切り替え部は、全系統の前記ゲートウェイ装置が前記既設の上位装置を切り離し前記新設の上位装置だけと接続するように上位装置の切り替えを行う請求項３に記載の中央監視システム。
【請求項５】
前記上位装置に、前記切り替え部に切り替え指令を出力する切り替え制御部と、前記切り替え部による上位装置の切り替え状態を表示する切り替え表示部と、を設ける請求項１〜４のいずれかに記載の中央監視システム。
【請求項６】
前記下位装置から前記設備機器にかけての断線を監視する断線監視部を備え、
前記断線監視部は、前記試験実施部が伝送確認試験を実施する前に、前記下位装置から前記設備機器にかけての断線確認を行う請求項１〜５のいずれかに記載の中央監視システム。
【請求項７】
前記断線監視部は、着脱自在なケーブルを有するコネクタ構造である請求項６に記載の中央監視システム。
【請求項８】
前記断線監視部は、着脱自在なケーブルを有する試験用端子台を備える請求項６又は７に記載の中央監視システム。
【請求項９】
前記断線監視部は、前記下位装置から前記設備機器にかけての模擬インターフェース確認試験を行う請求項６〜８のいずれかに記載の中央監視システム。
【請求項１０】
設備機器を監視する下位装置と、
前記下位装置を監視する上位装置と、
前記下位装置及び前記上位装置を接続するゲートウェイ装置と、を備える中央監視システムに用いられる更新プログラムであって、
前記ゲートウェイ装置に接続済みである既設の上位装置と、前記ゲートウェイ装置に未接続である新設の上位装置とを切り替える切り替えステップと、
前記切り替えステップによって既設の上位装置から新設の上位装置へ切り替えた後、伝送確認試験を実施する試験実施ステップと、をコンピュータに実施させる中央監視システム用更新プログラム。
【請求項１１】
前記試験実施ステップにて伝送確認試験を実施する前に、前記下位装置から前記設備機器にかけての断線を監視する断線監視ステップを、コンピュータに実施させる請求項１０に記載の中央監視システム用更新プログラム。
【発明の詳細な説明】
【技術分野】
【０００１】
本発明の実施形態は、中央監視システム及びその更新プログラムに関するものである。
【背景技術】
【０００２】
オフィスビル等、一定の規模を持つ建物には、エネルギー管理や省エネルギー制御を目的として中央監視システムが採用されている。中央監視システムは、建物に配置された受変電設備機器、空調設備機器、照明設備機器等の種々の設備機器を、集中して監視し、統合的あるいは分散化して設備機器を管理、制御するシステムである。
【０００３】
中央監視システムを構成する装置は、設備機器を直接的に監視する下位装置と、下位装置を集約的に監視する上位装置とに大別される。下位装置としては、例えばリモートステーション（以下、ＲＳＴ）がある。ＲＳＴは通常、系統別に設置されており、同一系統に複数台設置されている。各ＲＳＴには複数の設備機器が接続されており、設備機器を監視、制御するように構成されている。
【０００４】
中央監視システムの上位装置としては、分散サーバであるローカルコントロールサーバ（以下、ＬＣＳと記載）や、クライアントサーバであるヒューマンインターフェースステーション（以下、ＨＩＳと記載）やグローバルコントロールサーバ（以下、ＧＣＳと記載）が知られている。ＬＣＳとは、複数のＲＳＴが接続されるサーバであって、設備の系統や処理点数に応じて設置されている。ＨＩＳとＧＣＳは一体的に構成されることもあり、スイッチングハブ（以下、ＨＵＢと記載）を介して複数のＬＣＳが接続されている。
【０００５】
以上のような中央監視システムでは、定期的あるいは必要に応じてシステムの更新を行い、既設の装置を新設の装置に切り替える必要がある。システムの更新を行うとき、多数ある下位装置をいちいち切り替えるのではなく、上位装置だけを既設の装置から新設の装置へと切り替えることがある。この場合、まず、新設の上位装置群を予め構築しておき、その後、下位装置から既設の上位装置を取り外し、新設の上位装置群を、下位装置に接続することで上位装置の切り替えを行う。
【０００６】
更新作業中の中央監視システムは、設備機器の監視を実施することができない。そのため、大規模なシステムでは、既設の上位装置から新設の上位装置へと一括して切り替えると、設備機器の無監視状態が長時間に及ぶおそれがある。そこで、従来の中央監視システムでは、全ての設備機器が無監視状態に陥ることを回避すべく、系統毎に、既設の上位装置から新設の上位装置へと切り替えている。
【０００７】
中央監視システムでは、既設の上位装置から新設の上位装置に切り替えた場合に、伝送確認試験を行うことが必須である。伝送確認試験の実施に際して、設置スペース上の制約や、系統間の連動機能上の制約があるため、既設の上位装置と新設の上位装置との併用による監視ができないことが多い。従って、ある系統の伝送確認試験を実施した後、その系統に新設の上位装置を接続したままとするのではなく、再度、既設の上位装置に戻す必要があった。
【０００８】
具体的には、３つの系統Ａ、Ｂ、Ｃがあるとして、まず系統Ａにて新設の上位装置に切り替えた状態で系統Ａにおける伝送確認試験を実施する。続いて、系統Ａで試験を実施した新設の上位装置を、再度、既設の上位装置に戻し、系統Ｂにて新設の上位装置に切り替えて系統Ｂだけが新設の上位装置を接続した状態で、系統Ｂにおける伝送確認試験を実施する。
【０００９】
その後、系統Ｂで試験を実施した新設の上位装置を、再度、既設の上位装置に戻し、系統Ｃにて新設の上位装置に切り替えて系統Ｃだけが新設の上位装置を接続している状態で系統Ｃにおける伝送確認試験を実施する。そして、系統Ａ、Ｂ、Ｃの全てで伝送確認試験が完了した後で、全系統において新設の上位装置へと切り替える。これにより中央監視システムの更新が完了となる。
【先行技術文献】
【特許文献】
【００１０】
【特許文献１】特開２００５−２７５５７０号公報
【発明の概要】
【発明が解決しようとする課題】
【００１１】
従来の中央監視システムの更新では、系統毎に、新設の上位装置への切り替え及び既設の上位装置への再切り替えを行う。そのため、上位装置に対する信号線の離線作業及び再接続作業を繰り返すことになる。従って、中央監視システムでは、システムの更新に必要な時間、つまりシステムの更新時間が長期化するという不具合がある。
【００１２】
そこで従来より、上位装置を迅速に切り替えて、システムの更新に要する時間を短縮化することが求められている。特に近年では、防災や危機管理に対する要請が厳しく、中央監視システムの更新サイクルも短くなる傾向にある。そのため、システムの更新時間の短縮化に対する要求は強く、効率良く上位装置を切り替えることが望まれている。
【００１３】
本発明の実施形態は、上記の問題を解決するために提案されたものであり、下位装置及び上位装置を接続するゲートウェイ装置に、既設の上位装置と新設の上位装置とを切り替える切り替え部を設けることにより、システムの更新時間の短縮化に寄与する中央監視システム及びその更新プログラムを提供することを課題とする。
【課題を解決するための手段】
【００１４】
上記の課題を達成するために、本発明の実施形態に係る中央監視システムは、設備機器を監視する下位装置と、前記下位装置を監視する上位装置と、前記下位装置及び前記上位装置を接続するゲートウェイ装置と、を有する中央監視システムであって、次の構成要素(ａ)、(ｂ)を備える。
【００１５】
(ａ)前記ゲートウェイ装置に設けられ、前記ゲートウェイ装置に接続済みである既設の上位装置と、前記ゲートウェイ装置に未接続である新設の上位装置とを切り替える切り替え部。
(ｂ)前記切り替え部が既設の上位装置から新設の上位装置へ切り替えた後、伝送確認試験を実施する試験実施部。
【００１６】
本発明の実施形態には、上記の構成要素をコンピュータに実行させる中央監視システムの更新プログラムも含まれる。
【図面の簡単な説明】
【００１７】
【図１】第１の実施形態のブロック図
【図２】第１の実施形態の下位装置のブロック図
【図３】第１の実施形態の下位装置に断線監視部を組み込んだブロック図
【図４】第１の実施形態の断線監視部のブロック図
【図５】第１の実施形態のブロック図（系統Ａを新設ＬＣＳ４１ａに切り替え）
【図６】第１の実施形態のブロック図（系統Ｂを新設ＬＣＳ４１ｂに切り替え）
【図７】第１の実施形態のブロック図（系統Ｃを新設ＬＣＳ４１ｃに切り替え）
【図８】第１の実施形態のブロック図（全系統を新設ＬＣＳに切り替え）
【発明を実施するための形態】
【００１８】
（第１の実施形態）
（構成の概要）
以下、図１を参照して第１の実施形態に係る中央監視システム１の構成について説明する。第１の実施形態は、中央監視システム１に用いられる更新プログラムとして捉えることもできる。
【００１９】
図１は第１の実施形態の構成を示すブロック図である。図１に示すように、中央監視システム１には、３つの系統Ａ、Ｂ、Ｃが設けられ、設備機器（不図示）を監視する下位装置として、系統ＡにはＲＳＴ２ａが、系統ＢにはＲＳＴ２ｂが、系統ＣにはＲＳＴ２ｃが、それぞれ３台配置されている。
【００２０】
各ＲＳＴ２ａ、２ｂ、２ｃには、所定の現場に設置される各種の設備機器が接続されている。本明細書では、ＲＳＴ２ａ、２ｂ、２ｃをＲＳＴ２とも記載する。設備機器とは、例えば、建物に配置された受変電設備機器、空調設備機器、照明設備機器等である。
【００２１】
（上位装置群）
中央監視システム１には、既設の上位装置群として、３台のローカルコントロールサーバであるＬＣＳ４ａ、ＬＣＳ４ｂ、ＬＣＳ４ｃと、スイッチングハブＨＵＢ５と、ＨＩＳ及びＧＣＳが一体的に構成されたＨＩＳ／ＧＣＳ６と、液晶ディスプレイ（以下、ＬＣＤと記載）７と、が設けられる。前述したように、ＨＩＳとはヒューマンインターフェースステーションであり、ＧＣＳとはグローバルコントロールサーバである
【００２２】
ＨＩＳ／ＧＣＳ６及びＬＣＤ７は、ＨＵＢ５を介してＬＣＳ４ａ、ＬＣＳ４ｂ、ＬＣＳ４ｃに接続される。本明細書ではＬＣＳ４ａ、ＬＣＳ４ｂ、ＬＣＳ４ｃについて、ＬＣＳ４とも記載する。上位装置であるＬＣＳ４は、下位装置であるＲＳＴ２を監視する装置である。下位装置であるＲＳＴ２と上位装置であるＬＣＳ４とには、系統Ａ〜Ｃに対応してゲートウェイ装置３ａ、３ｂ、３ｃが接続されている。
【００２３】
ゲートウェイ装置３ａ、３ｂ、３ｃにはそれぞれ、既設の上位装置と新設の上位装置とを切り替える切り替え部８ａ、８ｂ、８ｃが設けられている。ゲートウェイ装置３ａ、３ｂ、３ｃをゲートウェイ装置３とも記載し、切り替え部８ａ、８ｂ、８ｃは切り替え部８とも記載する。
【００２４】
中央監視システム１の更新に際して、既設の上位装置群を新設の上位装置群に切り替える場合がある。ここでは、既設の上位装置群と新設の上位装置群は、同様の接続構成を持つものとする。新設の上位装置群としては、ＬＣＳ４１ａ、ＬＣＳ４１ｂ、ＬＣＳ４１ｃと、ＨＵＢ５１と、ＨＩＳ／ＧＣＳ６１と、ＬＣＤ７１と、が設けられる。ＨＩＳ／ＧＣＳ６１及びＬＣＤ７１は、ＨＵＢ５１を介してＬＣＳ４１ａ、ＬＣＳ４１ｂ、ＬＣＳ４１ｃに接続される。なお、ＬＣＳ４１ａ、ＬＣＳ４１ｂ、ＬＣＳ４１ｃは、ＬＣＳ４１とも記載する。ＬＣＳ４１は、ＬＣＳ４と同様、ＲＳＴ２を監視する装置である。
【００２５】
新設の上位装置であるＨＩＳ／ＧＣＳ６１には、ゲートウェイ装置３ａ、３ｂ、３ｃの切り替え部８ａ、８ｂ、８ｃに対し切り替え指令を出力する切り替え制御部６１ａが設けられている。また、ＬＣＤ７１は、切り替え部８ａ、８ｂ、８ｃによるＬＣＳ４とＬＣＳ４１との切り替えを表示する切り替え表示部となっている。
【００２６】
（ゲートウェイ装置）
ゲートウェイ装置３は、通信プロトコルの異なるネットワーク同士、すなわち下位装置であるＲＳＴ２のネットワークと、上位装置であるＬＣＳ４あるいはＬＣＳ４１のネットワークとを接続して、両者間の通信を行う装置である。
【００２７】
ゲートウェイ装置３に設けられた切り替え部８は、既設のＬＣＳ４と新設のＬＣＳ４１とを切り替える部分である。切り替え部８が既設のＬＣＳ４と新設のＬＣＳ４１とを切り替えることで、ゲートウェイ装置３では、下位装置群と既設の上位装置群との通信ネットワークと、下位装置群と新設の上位装置群との通信ネットワークとを切り替えることになる。切り替え部８は、ハード回路にて物理的にＬＣＳ４とＬＣＳ４１との切り替えを行うようにしてもよいし、コンピュータの物理的な資源を利用してソフトウェア的にＬＣＳ４とＬＣＳ４１との切り替えを行うようにしてもよい。
【００２８】
（試験実施部）
ところで、新設の上位装置群に含まれるＨＩＳ／ＧＣＳ６１には、伝送確認試験を実施する試験実施部９が設けられている。試験実施部９は、切り替え部８が既設のＬＣＳ４から新設のＬＣＳ４１へ切り替えた後、系統Ａ、Ｂ、Ｃごとに伝送確認試験を実施する。全ての系統Ａ、Ｂ、Ｃにて試験実施部９が伝送確認試験の実施を完了した場合、切り替え部８は、全てのゲートウェイ装置３が既設のＬＣＳ４を切り離し、新設のＬＣＳ４１だけと接続するように、ＬＣＳ４とＬＣＳ４１との切り替えを行う。
【００２９】
（下位装置）
図２は第１の実施形態の下位装置の構成を示すブロック図である。図２に示すように、下位装置であるＲＳＴ２にはＲＳ盤１２及び中継ＴＢ１３が設けられている。ＲＳ盤１２には中継ＴＢ１３を介して設備機器１４が接続される。ＲＳ盤１２内には基板１５が設置され、中継ＴＢ１３内には端子台１６が設置され、設備機器１４内には端子台１７が設置されている。ＲＳ盤１２内の基板１５は、ゲートウェイ装置３（図２では不図示）に接続され、中継ＴＢ１３内の端子台１６は設備機器１４内の端子台１７に接続される。
【００３０】
ＲＳＴ２では、ＲＳ盤１２及び中継ＴＢ１３にそれぞれ、コネクタ１１ａ、１１ｂが設けられている。コネクタ１１ａ、１１ｂは、端子番号１com〜8comを持つ８本のケーブル部１８によって互いに接続されている。各ケーブル部１８にはそれぞれ２本の信号線が配置されている。コネクタ１１ａは、ＲＳ盤１２内の基板１５に対して接離自在に設けられている。また、コネクタ１１ｂは、中継ＴＢ１３内の端子台１６に対して接離自在に設けられている。
【００３１】
図２に示すように、コネクタ１１ａがＲＳ盤１２内の基板１５と接続され、コネクタ１１ｂが中継ＴＢ１３内の端子台１６と接続される時、中央監視システム１では、下位装置であるＲＳＴ２が通常運用がなされる。このような通常運用時から、図３に示す導通試験時に移行することで、下位装置であるＲＳＴ２に関して、断線監視部１０によるＲＳＴ２から設備機器１４にかけての断線確認ステップが実施される。断線監視部１０には、導通試験用端子台（親側）２０ａと、導通試験用端子台（子側）２０ｂとが設けられている。
【００３２】
図４は、断線監視部１０の構成を示すブロック図である。図４に示すように、断線監視部１０において、導通試験用端子台（親側）２０ａ及び導通試験用端子台（子側）２０ｂには、コネクタ１１ａ、１１ｂの８本のケーブル部１８の各信号線に対応して、それぞれ２つのＬＥＤ２６が、つまり合計１６個のＬＥＤ２６が設けられている。
【００３３】
通試験用端子台（親側）２０ａには、全ての信号線を一括してチェックする全点スイッチ２２と、信号線を１線づつサイクリック（１ｓ）でチェックする個別スイッチ２３と、電源スイッチ２４と、電源２５とが設けられている。各スイッチ２２〜２４に隣接して、各スイッチ２２〜２４の動作状態を示すＬＥＤ２７が設置されている。
【００３４】
（作用）
以上の構成を有する中央監視システム１では、上位装置の切り替えステップと、伝送確認試験の試験実施ステップとを順次、系統毎に行う。まず、準備段階として、図１の右側に示すように新設の上位装置群を予め構築しておく。
【００３５】
次に、図５に示すように、ゲートウェイ装置３ａの切り替え部８ａが、既設のＬＣＳ４ａから新設のＬＣＳ４１ａへと切り替えて、ＬＣＳ４ａをゲートウェイ装置３ａから切り離し（点線にて示す）、ＬＣＳ４１ａをゲートウェイ装置３ａに接続する（太実線にて示す）。この状態で試験実施部９が、系統ＡにＬＣＳ４１ａを用いた際の伝送確認試験を実施する。その後、ゲートウェイ装置３ａの切り替え部８ａは新設のＬＣＳ４１ａから既設のＬＣＳ４ａに切り替えて、再度、ＬＣＳ４ａをゲートウェイ装置３ａに接続する。
【００３６】
続いて、図６に示すように、ゲートウェイ装置３ｂの切り替え部８ｂが、ＬＣＳ４ｂからＬＣＳ４１ｂへと切り替えて、ＬＣＳ４ｂをゲートウェイ装置３ｂから切り離し（点線にて示す）、ＬＣＳ４１ｂをゲートウェイ装置３ｂに接続する（太実線にて示す）。この状態で試験実施部９が、系統ＢにＬＣＳ４１ｂを用いた際の伝送確認試験を実施する。その後、ゲートウェイ装置３ｂの切り替え部８ｂがＬＣＳ４１ｂからＬＣＳ４ｂに切り替えて、再度、ＬＣＳ４ｂをゲートウェイ装置３ｂに接続する。
【００３７】
次に、図７に示すように、ゲートウェイ装置３ｃの切り替え部８ｃが、ＬＣＳ４ｃからＬＣＳ４１ｃへと切り替えて、ＬＣＳ４ｃをゲートウェイ装置３ｃから切り離し（点線にて示す）、ＬＣＳ４１ｃをゲートウェイ装置３ｃに接続する（太実線にて示す）。この状態で試験実施部９が、系統ＣにＬＣＳ４１ｃを用いた際の伝送確認試験を実施する。
【００３８】
ここで、系統Ａ、Ｂ、Ｃに関して試験実施部９による伝送確認試験が完了したことになる。切り替え部８は、系統Ａ、Ｂ、Ｃでの伝送確認試験を実施し終えると、図８に示すように、系統Ａ、Ｂ、Ｃ全てのゲートウェイ装置３が新設のＬＣＳ４１と接続するように、既設のＬＣＳ４と新設のＬＣＳ４１とを切り替える。
【００３９】
すなわち、ゲートウェイ装置３ｃの切り替え部８ｃは、ＬＣＳ４１ｃとの接続を維持したまま、ゲートウェイ装置３ａ、３ｂの切り替え部８ａ、８ｂが、既設のＬＣＳ４ａ、４ｂを新設のＬＣＳ４１ａ、４１ｂへと切り替える。これにより、ゲートウェイ装置３ａ、３ｂに新設のＬＣＳ４１ａ、４１ｂが再び接続され、系統Ａ、Ｂ、Ｃ全てのゲートウェイ装置３に新設のＬＣＳ４１が接続されたことになる。
【００４０】
（下位装置の断線確認）
第１の実施形態では、上記の伝送確認試験の試験実施ステップを行う前に、下位装置群に関して、断線監視部１０が断線確認ステップを行うことで導通試験を実施する。断線監視部１０が断線確認ステップを行うタイミングは、試験実施ステップを行う前であればよく、上位装置の切り替えステップの前であってもよいし、上位装置の切り替えステップの後つまり上位装置の切り替えステップと試験実施ステップとの間であってもよい。
【００４１】
導通試験を実施する場合、図３の上段に示すように、ＲＳＴ２において、コネクタ１１ａがＲＳ盤１２内の基板１５から外され、コネクタ１１ｂが中継ＴＢ１３内の端子台１６から外される。その後、図３の下段に示すように、コネクタ１１ａ、１１ｂはそれぞれ、断線監視部１０の導通試験用端子台（親側）２０ａと、導通試験用端子台（子側）２０ｂとに接続される。
【００４２】
このようにコネクタ１１ａ、１１ｂが断線監視部１０の導通試験用端子台（親側）２０ａ及び導通試験用端子台（子側）２０ｂに接続されたことで、断線監視部１０では、ＲＳＴ２から設備機器１４にかけての断線確認が実施される。図４に示すように、断線監視部１０では、各ケーブル部１８の信号線に電圧がかかった場合に、ケーブル部１８の信号線に断線が無く導通があると、信号線に該当したＬＥＤ２６は点灯することになる。一方、ケーブル部１８の信号線に断線があって導通が無いと、信号線に該当するＬＥＤ２６は消灯することになる。このようなＬＥＤ２６の消灯により、ＲＳＴ２から設備機器１４にかけての断線を確認することができる。
【００４３】
（効果）
第１の実施形態では、下位装置と上位装置を接続するゲートウェイ装置３に、上位装置を切り替える切り替え部８を設け、新設の上位装置群に含まれるＨＩＳ／ＧＣＳ６１に、伝送確認試験の試験実施部９を設ける。このような第１の実施形態では、既設のＬＣＳ４と新設のＬＣＳ４１とを切り替えた後、試験実施部９が伝送確認試験を実施する。
【００４４】
そのため、第１の実施形態では、中央監視システム１の更新に際して、系統単位での伝送確認試験を実施するより前に、ゲートウェイ装置３の切り替え部８が、ハード回路にて物理的に既設のＬＣＳ４と新設のＬＣＳ４１との切り替えを行う。従って、第１の実施形態では、既設のＬＣＳ４及び新設のＬＣＳ４１からの信号線の離線や、既設のＬＣＳ４及び新設のＬＣＳ４１への信号線の再接続を、効率良く迅速に実施することができる。
【００４５】
その結果、中央監視システム１の更新時間を短縮化することが可能であり、中央監視システム１による設備機器の無監視時間を短くすることができる。よって、監視員が設備機器１４を直接監視する時間を少なくすることができ、コストの抑制に寄与することが可能である。このような第１の実施形態によれば、経済性及び信頼性の向上を図った中央監視システム１及びその更新プログラムを提供することができる。
【００４６】
また、第１の実施形態においては、試験実施部９が系統ごとに伝送確認試験を実施し、切り替え部８は、新設のＬＣＳ４１が順次、ゲートウェイ装置３と接続するように切り替えを行っている。そのため、系統毎に伝送確認試験を実施可能であり、複数の系統で同時に新設の上位装置に切り替えた状態で伝送確認試験を実施することはない。従って、設置スペース上の制約や、系統間の連動機能上の制約を受けたとしても、通信の正当性を保証することが可能である。
【００４７】
さらに、第１の実施形態では、試験実施部９が系統Ａ、Ｂ、Ｃの全てにおいて伝送確認試験を完了した後、系統に対応する３つのゲートウェイ装置が新設のＬＣＳ４１と接続するように、切り替え部８が切り替えを行うようになっている。従って、新設の上位装置群への移行を確実に実施することが可能である。
【００４８】
また、第１の実施形態では、伝送確認試験の試験実施ステップを行う前に、コネクタ１１ａ、１１ｂが断線監視部１０の導通試験用端子台（親側）２０ａ及び導通試験用端子台（子側）２０ｂに接続される。このとき、ＬＥＤ２６が消灯することで、断線監視部１０がＲＳＴ２から設備機器１４にかけてのケーブル部１８の断線を確認することができる。
【００４９】
そのため、ＲＳＴ２から設備機器１４にかけての配線が断線していた場合に、伝送確認試験の前段階で、断線監視部１０により、自動的に配線の断線を検知することが可能であり、以下の効果を得ることができる。
【００５０】
（1）故障要因が断線であった際の早期発見が可能である。また、故障要因が無かった場合でも、真因の絞り込みが早期に実現することができる。
（2）定期点検時に断線監視部１０を操作することで、事前に断線有無の確認ができる。
（3）断線監視部１０が断線確認ステップを行い導通試験を実施することで、この導通試験を模擬インターフェースチェック確認試験に活用することができる。
【００５１】
（4）下位装置であるＲＳＴ２から設備機器１４にわたる配線の断線確認に関して、監視員が手持ちの試験装置を用いる必要が無い。従って、従来の断線検知方法に比べて、安全性・信頼性・作業効率の向上に寄与できる。すなわち従来では、監視員が手持ちの試験機材により試験電圧をかけて、ＲＳＴ２から設備機器１４にわたる配線のチェック作業を行っていた。そのため、運用中の機器がある場合、誤動作の懸念から、容易にチェック作業を進めることができなかった。
【００５２】
これに対して、断線監視部１０を有する第１の実施形態によれば、ＲＳＴ２から設備機器１４にかけての断線を、手間をかけることなく、確実に検知することができる。その結果、伝送確認試験を省力化することが可能となり、試験時間や人員コスト削減に寄与することができる。
【００５３】
（5）しかも、第１の実施形態では、断線監視部１０の両端部に設けた導通試験用端子台２０ａ、２０ｂに対して、コネクタ１１ａ、１１ｂを着脱自在に接続するようにしたので、ＲＳＴ２に対する断線監視部１０の着脱が容易である。すなわち、ＲＳＴ２から設備機器１４にかけて、断線監視部１０を簡単に取り付けたり、取り外したりすることができ、断線確認をスムーズに行うことができる。
【００５４】
（他の実施形態）
以上説明した実施形態は、本発明の実施形態の一例として提示したものであり、発明の範囲を限定することは意図していない。本発明の実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれると同様に、特許請求の範囲に記載された発明とその均等な範囲に含まれる。
【００５５】
例えば、新設の上位装置に関する情報を予め登録する登録設定部と、登録設定部に登録された情報に基づいて、ゲートウェイ装置に新たに接続される上位装置が予め登録された上位装置か否かを判定する判定部と、を備えるようにしてもよい。このような実施形態によれば、登録設定部は、新設の上位装置に関する情報を予め登録しておき、判定部は、登録された情報に基づいて、ゲートウェイ装置に接続された新たに上位装置が予め登録された上位装置か否かを判定する。そのため、新設の上位装置の切り替えを、より迅速かつ正確に行うことができる。従って、システムの更新時間の更なる短縮化が可能となる。
【符号の説明】
【００５６】
１…中央監視システム
２、２ａ、２ｂ、２ｃ…ＲＳＴ
３、３ａ、３ｂ、３ｃ…ゲートウェイ装置
４、４ａ、４ｂ、４ｃ…既設のＬＣＳ
４１、４１ａ、４１ｂ、４１ｃ…新設のＬＣＳ
５、５１…ＨＵＢ
６、６１…ＨＩＳ／ＧＣＳ
７、７１…ＬＣＤ
８、８ａ、８ｂ、８ｃ…切り替え部
９…試験実施部
１０…断線監視部
１１ａ、１１ｂ…コネクタ
１２…ＲＳ盤
１３…中継ＴＢ
１４…設備機器
１５…基板
１６、１７…端子台
１８…ケーブル部
２０ａ…導通試験用端子台（親側）
２０ｂ…導通試験用端子台（子側）
２２…全点スイッチ
２３…個別スイッチ
２４…電源スイッチ
２５…電源
２６、２７…ＬＥＤ
【図１】
2020067882.tif 000003
【図２】
2020067882.tif 000004
【図３】
2020067882.tif 000005
【図４】
2020067882.tif 000006
【図５】
2020067882.tif 000007
【図６】
2020067882.tif 000008
【図７】
2020067882.tif 000009
【図８】
2020067882.tif 000010